(57)【特許請求の範囲】
【請求項１】
予め用意された複数の異なるサイズの被画像形成媒体の中から最大サイズの被画像形成媒体を選出し、
この選出された最大サイズの被画像形成媒体に記録可能な有効記録ライン数の上限値に所定数を乗算して得られる画像ライン数を、単一頁として格納可能な最大画像ライン数として設定し、
主走査方向のサイズデータが付加された画像データを受信し、
この受信された受信画像データの単一頁の副走査方向の画像ライン数をカウントし、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納し、
この単一頁として格納された格納画像データに付加された主走査方向のサイズデータを基にして、予め用意された複数の異なるサイズの被画像形成媒体の中からこの格納画像データを出力する被画像形成媒体を決定し、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データを副走査方向に縮小して前記決定された被画像形成媒体に出力する処理、又はこの格納画像データを主走査方向及び副走査方向に縮小して前記決定された被画像形成媒体に出力する処理を選択して、この格納画像データを基にして形成される画像全体を前記被画像形成媒体に出力する、
ことを特徴とする画像データ受信格納出力方法。
【請求項２】
予め用意された複数の異なるサイズの被画像形成媒体の中から最大サイズの被画像形成媒体を選出し、
この選出された最大サイズの被画像形成媒体に記録可能な有効記録ライン数の上限値に所定数を乗算して得られる画像ライン数を、単一頁として格納可能な最大画像ライン数として設定し、
主走査方向のサイズデータが付加された画像データを受信し、
この受信された受信画像データの単一頁の副走査方向の画像ライン数をカウントし、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納し、
この単一頁として格納された格納画像データに付加された主走査方向のサイズデータを基にして、予め用意された複数の異なるサイズの被画像形成媒体の中からこの格納画像データを出力する被画像形成媒体を決定し、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データから超過ライン分を切り捨てて前記決定された被画像形成媒体に出力する処理、この格納画像データを副走査方向に縮小して前記決定された被画像形成媒体に出力する処理、又はこの格納画像データを主走査方向及び副走査方向に縮小して前記決定された被画像形成媒体に出力する処理を選択して、この格納画像データを基にして形成される画像全体を前記被画像形成媒体に出力する、
ことを特徴とする画像データ受信格納出力方法。
【請求項３】
予め用意された複数の異なるサイズの被画像形成媒体の中から最大サイズの被画像形成媒体を選出し、
この選出された最大サイズの被画像形成媒体に記録可能な有効記録ライン数の上限値に所定数を乗算して得られる画像ライン数を、単一頁として格納可能な最大画像ライン数として設定し、
主走査方向のサイズデータが付加された画像データを受信し、
この受信された受信画像データの単一頁の副走査方向の画像ライン数をカウントし、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納し、
この単一頁として格納された格納画像データに付加された主走査方向のサイズデータを基にして、予め用意された複数の異なるサイズの被画像形成媒体の中からこの格納画像データを出力する被画像形成媒体を決定し、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データから超過ライン分を切り捨てて前記決定された被画像形成媒体に出力する処理、この格納画像データを副走査方向に縮小して前記決定された被画像形成媒体に出力する処理、この格納画像データを前記決定された被画像形成媒体よりサイズの大きい被画像形成媒体に出力する処理、この格納画像データを主走査方向及び副走査方向に縮小して前記決定された被画像形成媒体に出力する処理を選択して、この格納画像データを基にして形成される画像全体を前記被画像形成媒体に出力する、
ことを特徴とする画像データ受信格納出力方法。
【請求項４】
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データを副走査方向に縮小して前記決定された被画像形成媒体に形成する処理、又はこの格納画像データを主走査方向及び副走査方向に縮小して前記決定された被画像形成媒体に形成する処理を選択して、この格納画像データを基にして形成される画像全体を前記被画像形成媒体に形成する画像形成処理を実行する画像形成手段と、
を備えたことを特徴とする画像形成装置。
【請求項５】
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データから超過ライン分を切り捨てて前記決定された被画像形成媒体に形成する処理、この格納画像データを副走査方向に縮小して前記決定された被画像形成媒体に形成する処理、又はこの格納画像データを主走査方向及び副走査方向に縮小して前記決定された被画像形成媒体に形成する処理を選択して、この格納画像データを基にして形成される画像全体を前記被画像形成媒体に形成する画像形成処理を実行する画像形成手段と、
を備えたことを特徴とする画像形成装置。
【請求項６】
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データから超過ライン分を切り捨てて前記決定された被画像形成媒体に形成する処理、この格納画像データを副走査方向に縮小して前記決定された被画像形成媒体に形成する処理、この格納画像データを前記決定された被画像形成媒体よりサイズの大きい被画像形成媒体に形成する処理、又はこの格納画像データを主走査方向及び副走査方向に縮小して前記決定された被画像形成媒体に形成する処理を選択して、この格納画像データを基にして形成される画像全体を被画像形成媒体に形成する画像形成処理を実行する画像形成手段と、
を備えたことを特徴とする画像形成装置。
【発明の詳細な説明】
【０００１】
【発明の属する技術分野】
この発明は、公衆回線を介して送信される画像データを受信し格納する画像データ受信格納方法、及び公衆回線を介して送信される画像データを受信し格納し出力する画像データ受信格納出力方法に関する。また、公衆回線を介して送信される画像データを基に画像を形成する画像形成装置に関する。
【０００２】
【従来の技術】
原稿画像を走査して得られた画像データを公衆回線を介して送信したり、或いは公衆回線を介して画像データを受信しこの受信された受信画像データを基にして画像を形成するファクシミリ装置が知られている。
【０００３】
ここで、このようなファクシミリ装置により、受信画像データをカット紙等の定型サイズの記録紙に出力する場合について説明する。まず最初に、受信画像データは、一旦受信用画像メモリに蓄積される。この受信用画像メモリに蓄積された受信画像データを出力する際、第一段階として、この受信画像データを出力する記録紙のサイズが決定される。記録紙のサイズ、例えばＡ３、Ｂ４、Ｂ５等は、受信画像データに含まれているこの受信画像データの主走査方向のサイズデータを基にして決定される（受信画像データの副走査方向のサイズは記録紙のサイズ決定には関係しない）。次に第２段階として、受信用画像メモリに蓄積された受信画像データの単一頁の副走査ライン数がカウントされ、このカウント値と第一段階で決定されたこの受信画像データを出力する記録紙の有効記録ライン数とが比較され、比較結果に応じた出力処理がなされる。例えば、受信画像データの単一頁の副走査ライン数が有効記録ライン数以内であればそのまま単一頁として出力し、受信画像データの単一頁の副走査ライン数が有効記録ライン数より多ければ受信画像データの単一頁を複数頁に分割して出力する分割処理、受信画像データの単一頁の一部を切り捨てて出力する切り捨て処理、或いは受信画像データの単一頁を縮小して出力する縮小処理などがなされる。
【０００４】
つまり、従来は、受信用画像メモリに蓄積された受信画像データを出力する際に、受信画像データの副走査ライン数のカウント処理、さらには、必要に応じて分割処理、縮小処理、或いは切り捨て処理などが行われていた。
【０００５】
【発明が解決しようとする課題】
上記したように従来は、受信画像データ出力時に副走査ライン数がカウントされ、必要に応じて分割処理、縮小処理、或いは切り捨て処理がなされていた。そのため、出力時に画像データを展開する出力用メモリに、（最大有効記録ライン数）／（最小縮小率）の容量が必要とされていた。最大有効記録ライン数とは、使用可能な記録紙の中で最大サイズの記録紙における有効記録ライン数のことである。例えば、Ａ３、Ｂ４、Ｂ５サイズの記録紙が使用可能な場合、最大有効記録ライン数は、Ａ３サイズの記録紙の有効記録ライン数ということになる。
【０００６】
また、近年、上記したようないわゆるファクシミリ機能を備えた複写機、いわゆる複合機が普及し始めている。ところが、ファクシミリ機能における画像出力時には上記した処理が必要とされる。一方、複写機能における画像出力時には上記した処理は必要とされない。つまり、複合機には、ファクシミリ機能における画像出力処理と、複写機能における画像出力処理とが別々に必要となり、このことが複合機の製造コスト増の原因の一つとなっていた。
【０００７】
この発明の目的は、上記したような事情に鑑み成されたものであって、画像データ出力時に画像データを展開するための出力用画像メモリの容量を小さくできる画像データ受信格納出力方法、及び画像形成装置を提供することにある。
【０００８】
また、ファクシミリ機能及び複写機能を備えた装置における画像出力処理を簡略化できる画像データ受信格納出力方法、及び画像形成装置を提供することにある。
【０００９】
【課題を解決するための手段】
この発明は、上記問題点に基づきなされたもので、
この発明によれば、
単一頁として格納可能な画像データのサイズの上限値を設定する設定手段と、
画像データを受信する受信手段と、
この受信された受信画像データの単一頁のサイズを測定する測定手段と、
この測定された受信画像データの単一頁のサイズ値が前記上限値以下のときにはこの受信画像データの単一頁をそのまま単一頁として格納し、この測定された受信画像データの単一頁のサイズ値が前記上限値より大きいときにはこの受信画像データの単一頁を前記上限値単位で分割しこの分割された夫々の受信画像データを単一頁として格納する格納手段と、
この単一頁として格納された格納画像データを基に画像を形成する画像形成手段と、
を備えたことを特徴とする画像形成装置が提供される。
【００１０】
また、この発明によれば、
予め用意された複数の異なるサイズの被画像形成媒体の中から最大サイズの被画像形成媒体を選出する選出手段と、
この選出された最大サイズの被画像形成媒体に記録可能な有効記録ライン数の上限値を基にして、単一頁として格納可能な最大画像ライン数を設定する設定手段と、
画像データを受信する受信手段と、
この受信された受信画像データの単一頁の画像ライン数をカウントするカウント手段と、
このカウントされた受信画像データの単一頁の画像ライン数が前記最大画像ライン数以下のときにはこの受信画像データの単一頁をそのまま単一頁として格納し、このカウントされた受信画像データの単一頁の画像ライン数が前記最大画像ライン数より多いときにはこの受信画像データの単一頁を前記最大画像ライン単位で分割しこの分割された夫々の受信画像データを単一頁として格納する格納手段と、
原稿台に載置された原稿画像を読み取る読取手段と、
前記単一頁として格納された格納画像データを基にした画像形成処理、及び前記読み取られた原稿画像を基にした画像形成処理を実行する画像形成手段と、
を備えたことを特徴とする画像形成装置が提供される。
【００１１】
さらに、この発明によれば、
予め用意された複数の異なるサイズの被画像形成媒体の中から最大サイズの被画像形成媒体を選出する選出手段と、
この選出された最大サイズの被画像形成媒体に記録可能な有効記録ライン数の上限値を基にして、単一頁として格納可能な最大画像ライン数を設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
前記格納画像データを基にして形成される画像全体を前記決定された被画像形成媒体に出力するため、或いは予め用意されたサイズの異なる被画像形成媒体のどれかのサイズに出力するため、この格納画像データの画像ライン数に応じてこの格納画像データに対して所定の処理を施し、この所定の処理が施された格納画像データを基にして形成される画像全体を被画像形成媒体に形成する画像形成手段と、
を備えたことを特徴とする画像形成装置が提供される。
【００１２】
また、さらにこの発明によれば、
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
原稿台に載置された原稿画像を読み取る読取手段と、
前記格納画像データの画像ライン数と前記決定された被画像形成媒体に記録可能な有効記録ライン数とを比較して、この格納画像データの画像ライン数がこの有効記録ライン数以下のときにはこの決定された被画像形成媒体にこの格納画像データを基にした画像をそのまま形成し、この格納画像データの画像ライン数がこの有効記録ライン数を越えたときにはこの格納画像データから超過分の画像ラインを切り捨てこの切り捨ててこの切り捨て処理がなされた格納画像データを基にした画像をこの決定された被画像形成媒体に形成する第１画像形成処理、及び前記読み取られた原稿画像を基にした画像を被画像形成媒体に形成する第２画像形成処理を実行する画像形成手段と、
を備えたことを特徴とする画像形成装置が提供される。
【００１３】
さらにまた、この発明によれば、
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
原稿台に載置された原稿画像を読み取る読取手段と、
前記格納画像データの画像ライン数と前記決定された被画像形成媒体に記録可能な有効記録ライン数とを比較して、この格納画像データの画像ライン数がこの有効記録ライン数以下のときにはこの格納画像データをこの決定された被画像形成媒体にそのまま出力し、この格納画像データの画像ライン数がこの有効記録ライン数を所定数以上越えたときにはこの格納画像データを副走査方向に縮小してこの縮小処理がなされた格納画像データを基にした画像をこの決定された被画像形成媒体に形成する第１画像形成処理、及び前記読み取られた原稿画像を基にした画像を被画像形成媒体に形成する第２画像形成処理を実行する画像形成手段と、
を備えたことを特徴とする画像形成装置が提供される。
【００１４】
またさらに、この発明によれば、
予め用意された複数の異なるサイズの被画像形成媒体の中から最大サイズの被画像形成媒体を選出する選出手段と、
この選出された最大サイズの被画像形成媒体に記録可能な有効記録ライン数の上限値に所定数を乗算して得られる画像ライン数を、単一頁として格納可能な最大画像ライン数として設定する設定手段と、
主走査方向のサイズデータが付加された画像データを受信する受信手段と、
この受信された受信画像データの単一頁の副走査方向の画像ライン数をカウントするカウント手段と、
このカウントされた受信画像データの単一頁の画像ライン数が前記最大画像ライン数以下のときにはこのカウントされた画像ライン数のデータを付加してこの受信画像データの単一頁をそのまま単一頁として格納し、このカウントされた受信画像データの単一頁の画像ライン数が前記最大画像ライン数より多いときにはこの受信画像データの単一頁を前記最大画像ライン数単位で分割しこの分割された夫々の受信画像データに画像ライン数のデータを付加してこの分割された夫々の受信画像データを単一頁として格納する格納手段と、
この単一頁として格納された格納画像データに付加された主走査方向のサイズデータを基にして、予め用意された複数の異なるサイズの被画像形成媒体の中からこの格納画像データを出力する被画像形成媒体を決定する決定手段と、
原稿台に載置された原稿画像を読み取る読取手段と、
前記格納画像データを基にして形成される画像を被画像形成媒体に出力する際、この格納画像データの画像ライン数が前記決定された被画像形成媒体に記録可能な有効記録ライン数を越えたときの超過ライン数に応じて、この格納画像データから超過ライン分を切り捨てて前記決定された被画像形成媒体に形成する処理、この格納画像データを副走査方向に縮小して前記決定された被画像形成媒体に形成する処理、この格納画像データを前記決定された被画像形成媒体よりサイズの大きい被画像形成媒体に形成する処理、この格納画像データを主走査方向及び副走査方向に縮小して所定の被画像形成媒体に形成する処理を施すことにより、この格納画像データを基にして形成される画像全体を被画像形成媒体に形成する第１画像形成処理、及び前記読み取られた原稿画像を基にした画像を被画像形成媒体に形成する第２画像形成処理を実行する画像形成手段と、
を備えたことを特徴とする画像形成装置が提供される。
【００１５】
【発明の実施の形態】
以下、この発明の実施の形態について図面を参照して説明する。
図１は、この発明の一実施の形態に係る画像形成装置の概略構成を示す断面図である。この画像形成装置は、複写機能とファクシミリ機能を備えたものであり、以下複合機と称する。
【００１６】
図１に示すように、複合機の装置本体１０内には、原稿画像を読み取るスキャナ部４、および画像データを基にした画像をカット紙等の用紙に記録するプリンタ部６が設けられている。
【００１７】
装置本体１０の上面には、読取対象物、つまり原稿Ｄが載置される透明なガラスからなる原稿載置台１２が設けられている。また、装置本体１０の上面には、原稿載置台１２上に原稿を自動的に送る自動原稿送り装置７（以下、ＡＤＦと称する）が配設されている。このＡＤＦ７は、原稿載置台１２に対して開閉可能に配設され、原稿載置台に載置された原稿Ｄを原稿載置台１２に密着させる原稿押さえとしても機能する。
【００１８】
ＡＤＦ７は、原稿Ｄがセットされる原稿トレイ８、原稿の有無を検出するエンプティセンサ９、原稿トレイ８から原稿を一枚づつ取り出すピックアップローラ１４、取り出された原稿を搬送する給紙ローラ１５、原稿の先端を整位するアライニングローラ対１６、原稿載置台１２のほぼ全体を覆うように配設された搬送ベルト１８を備えている。そして、原稿トレイ８に上向きにセットされた複数枚の原稿は、その最下の頁、つまり、最終頁から順に取り出され、アライニングローラ対１６により整位された後、搬送ベルト１８によって原稿載置台１２の所定位置へ搬送される。
【００１９】
ＡＤＦ７において、搬送ベルト１８を挟んでアライニングローラ対１６と反対側の端部には、反転ローラ２０、非反転センサ２１、フラッパ２２、排紙ローラ２３が配設されている。後述するスキャナ部４により画像情報の読み取られた原稿Ｄは、搬送ベルト１８により原稿載置台１２上から送り出され、反転ローラ２０、フラッパ２１、および排紙ローラ２２を介してＡＤＦ７上面の原稿排紙部２４上に排出される。原稿Ｄの裏面を読み取る場合、フラッパ２２を切換えることにより、搬送ベルト１８によって搬送されてきた原稿Ｄは、反転ローラ２０によって反転された後、再度搬送ベルト１８により原稿載置台１２上の所定位置に送られる。
【００２０】
装置本体１０内に配設されたスキャナ部４は、原稿載置台１２に載置された原稿Ｄを照明する光源としての露光ランプ２５、および原稿Ｄからの反射光を所定の方向に偏向する第１のミラー２６を有し、これらの露光ランプ２５および第１のミラー２６は、原稿載置台１２の下方に配設された第１のキャリッジ２７に取り付けられている。
【００２１】
第１のキャリッジ２７は、原稿載置台１２と平行に移動可能に配置され、図示しない歯付きベルト等を介して駆動モータにより、原稿載置台１２の下方を往復移動される。
【００２２】
また、原稿載置台１２の下方には、原稿載置台１２と平行に移動可能な第２のキャリッジ２８が配設されている。第２のキャリッジ２８には、第１のミラー２６により偏向された原稿Ｄからの反射光を順に偏向する第２および第３のミラー３０、３１が互いに直角に取り付けられている。第２のキャリッジ２８は、第１のキャリッジ２７を駆動する歯付きベルト等により、第１のキャリッジ２７に対して従動されるとともに、第１のキャリッジに対して、１／２の速度で原稿載置台１２に沿って平行に移動される。
【００２３】
また、原稿載置台１２の下方には、第２のキャリッジ２８上の第３のミラー３１からの反射光を集束する結像レンズ３２と、結像レンズにより集束された反射光を受光して光電変換するＣＣＤセンサ３４とが配設されている。結像レンズ３２は、第３のミラー３１により偏向された光の光軸を含む面内に、駆動機構を介して移動可能に配設され、自身が移動することで反射光を所望の倍率で結像する。そして、ＣＣＤセンサ３４は、入射した反射光を光電変換し、読み取った原稿Ｄに対応する電気信号を出力する。
【００２４】
一方、プリンタ部６は、レーザ露光部４０を備えている。レーザ露光部４０は、光源としての半導体レーザ４１と、半導体レーザ４１から出射されたレーザ光を連続的に偏向する走査部材としてのポリゴンミラー３６と、ポリゴンミラー３６を後述する所定の回転数で回転駆動する走査モータとしてもポリゴンモータ３７と、ポリゴンミラーからのレーザ光を偏向して後述する感光体ドラム４４へ導く光学系４２とを備えている。このような構成のレーザ露光部４０は、装置本体１０の図示しない支持フレームに固定支持されている。
【００２５】
半導体レーザ４１は、スキャナ部４により読み取られた原稿Ｄの画像情報、あるいはファクシミリ送受信文書情報等に応じてオン・オフ制御され、このレーザ光はポリゴンミラー３６および光学系４２を介して感光体ドラム４４へ向けられ、感光体ドラム４４周面を走査することにより感光体ドラム４４周面上に静電潜像を形成する。
【００２６】
また、プリンタ部６は、装置本体１０のほぼ中央に配設された像担持体としての回転自在な感光体ドラム４４を有し、感光体ドラム４４周面は、レーザ露光部４０からのレーザ光により露光され、所望の静電潜像が形成される。感光体ドラム４４の周囲には、ドラム周面を所定の電荷に帯電させる帯電チャージャ４５、感光体ドラム４４周面上に形成された静電潜像に現像剤としてのトナーを供給して所望の画像濃度で現像する現像器４６、後述する用紙カセットから給紙された被転写材、つまり、用紙Ｐを感光体ドラム４４から分離させるための剥離チャージャ４７を一体に有し、感光体ドラム４４に形成されたトナー像を用紙Ｐに転写させる転写チャージャ４８、感光体ドラム４４周面から用紙Ｐを剥離する剥離爪４９、感光体ドラム４４周面に残留したトナーを清掃する清掃部５０、および、感光体ドラム４４周面の除電する除電器５１が順に配置されている。
【００２７】
装置本体１０内の下部には、それぞれ装置本体から引出し可能な上段カセット５２、中段カセット５３、下段カセット５４が互いに積層状態に配設され、各カセット内にはサイズの異なる用紙が装填されている。これらのカセットの側方には大容量フィーダ５５が設けられ、この大容量フィーダ５５には、使用頻度の高いサイズの用紙Ｐ、例えば、Ａ４サイズの用紙Ｐが約３０００枚収納されている。また、大容量フィーダ５５の上方には、手差しトレイ５６を兼ねた給紙カセット５７が脱着自在に装着されている。
【００２８】
装置本体１０内には、各カセットおよび大容量フィーダ５５から感光体ドラム４４と転写チャージャ４８との間に位置した転写部を通って延びる搬送路５８が形成され、搬送路５８の終端には定着器６０が設けられている。定着器６０に対向した装置本体１０の側壁には排出口６１が形成され、排出口には排紙トレイ６２が装着されている。
【００２９】
上段カセット５２、中段カセット５３、下段カセット５４、給紙カセット５７の近傍および大容量フィーダ５５の近傍には、カセットあるいは大容量フィーダから用紙Ｐを一枚づつ取り出すピックアップローラ６３がそれぞれ設けられている。また、搬送路５８には、ピックアップローラ６３により取り出された用紙Ｐを搬送路５８を通して搬送する多数の給紙ローラ対６４が設けられている。
【００３０】
搬送路５８において感光体ドラム４４の上流側にはレジストローラ対６５が設けられている。レジストローラ対６５は、取り出された用紙Ｐの傾きを補正するとともに、感光体ドラム４４上のトナー像の先端と用紙Ｐの先端とを整合させ、感光体ドラム４４周面の移動速度と同じ速度で用紙Ｐを転写部へ給紙する。レジストローラ対６５の手前、つまり、給紙ローラ６４側には、用紙Ｐの到達を検出するアライニング前センサ６６が設けられている。
【００３１】
ピックアップローラ６３により各カセットあるいは大容量フィーダ５５から１枚づつ取り出された用紙Ｐは、給紙ローラ対６４によりレジストローラ対６５へ送られる。そして、用紙Ｐは、レジストローラ対６５により先端が整位された後、転写部に送られる。
【００３２】
転写部において、感光体ドラム４４上に形成された現像剤像、つまり、トナー像が、転写チャージャ４８により用紙Ｐ上に転写される。トナー像の転写された用紙Ｐは、剥離チャージャ４７および剥離爪４９の作用により感光体ドラム４４周面から剥離され、搬送路５２の一部を構成する搬送ベルト６７を介して定着器６０に搬送される。そして、定着器６０によって現像剤像が用紙Ｐに溶融定着さた後、用紙Ｐは、給紙ローラ対６８および排紙ローラ対６９により排出口６１を通して排紙トレイ６２上へ排出される。
【００３３】
搬送路５８の下方には、定着器６０を通過した用紙Ｐを反転して再びレジストローラ対６５へ送る自動両面装置７０が設けられている。自動両面装置７０は、用紙Ｐを一時的に集積する一時集積部７１と、搬送路５８から分岐し、定着器６０を通過した用紙Ｐを反転して一時集積部７１に導く反転路７２と、一時集積部に集積された用紙Ｐを一枚づつ取り出すピックアップローラ７３と、取り出された用紙を搬送路７４を通してレジストローラ対６５へ給紙する給紙ローラ７５とを備えている。また、搬送路５８と反転路７２との分岐部には、用紙Ｐを排出口６１あるいは反転路７２に選択的に振り分ける振り分けゲート７６が設けられている。
【００３４】
両面コピーを行う場合、定着器６０を通過した用紙Ｐは、振り分けゲート７６により反転路７２に導かれ、反転された状態で一時集積部７１に一時的に集積された後、ピックアップローラ７３および給紙ローラ対７５により、搬送路７４を通してレジストローラ対６５へ送られる。そして、用紙Ｐはレジストローラ対６５により整位された後、再び転写部に送られ、用紙Ｐの裏面にトナー像が転写される。その後、用紙Ｐは、搬送路５８、定着器６０および排紙ローラ６９を介して排紙トレイ６２上に排紙される。
【００３５】
次に、図２を参照して、複合機における電気的接続及び制御のための信号の流れについて説明する。
この図２に示すように複合機には、上記説明したスキャナ部４及びプリンタ部６に加えて、操作パネル部８０及び主制御部９０が設けられている。操作パネル部８０には、複写開始及びファクシミリ送信開始を指示するスタートキー８１、複合機における画像出力のための各種条件を設定するためのタッチセンサパネル８２ａを備えた入力部８２、操作パネル部８０を制御するパネルＣＰＵ８３、複写枚数および複写倍率の設定に利用されるテンキー８４などが設けられている。
【００３６】
この図２に示すように複合機は、主制御部９０内のメインＣＰＵ９１と、スキャナ部４内のスキャナＣＰＵ１００と、プリンタ部６内のプリンタＣＰＵ１１０の３つのＣＰＵで構成される。
【００３７】
メインＣＰＵ９１は、プリンタＣＰＵ１１０と共有ＲＡＭ９５を介して双方向通信を行うものであり、メインＣＰＵ９１は動作指示をだし、プリンタＣＰＵ１１０は状態ステータスを返すようになっている。プリンタＣＰＵ１１０とスキャナＣＰＵ１００はシリアル通信を行い、プリンタＣＰＵ１１０は動作指示をだし、スキャナＣＰＵ１００は状態ステータスを返すようになっている。操作パネル部８０は、メインＣＰＵ９１に接続される。
【００３８】
主制御部９０は、メインＣＰＵ９１、ＲＯＭ９２、ＲＡＭ９３、ＮＶＭ９４、共有ＲＡＭ９５、入出力用符号化／復号化部１５２、画像メモリ１５４、回線用符号化／復号化部１５６、ファイル蓄積メモリ１５８、画像処理部９６、通信部９９によって構成されている。
【００３９】
メインＣＰＵ９１は、主制御部９０の全体を制御するものである。ＲＯＭ９２は、制御プログラムが記憶されているものである。ＲＡＭ９３は、一時的にデータを記憶するものである。ＮＶＭ（持久ランダムアクセスメモリ：Nonvolatile RAM ）９４は、バッテリ（図示しない）にバックアップされた不揮発性のメモリであり、電源を切った時ＮＶＭ９４上のデータを保持するようになっている。共有ＲＡＭ９５は、メインＣＰＵ９１とプリンタＣＰＵ１１０との間で、双方向通信を行うために用いるものである。
【００４０】
通信部９９は、通信制御部９９ａ、モデム９９ｂ、及びＮＣＵ９９ｃ等により構成されている。通信制御部９９ａは、発呼時のダイヤル送信制御及び着信検出制御、並びに送受信データの通信手順を制御し通信データの送受信を行うものである。モデム９９ｂは、送受信データの変調・復調を行うものである。ＮＣＵ９９ｃは、回線の捕捉開放を行うための網終端回路である。
【００４１】
入出力用符号化／複合化部１５２には、副走査ライン数カウント部１５２ａ、及び縮小部１５２ｂが設けられている。この入出力用符号化／複合化部１５２は、複写入力及びファクシミリ送信出力の際にスキャナ部４により読み取られた画像データを符号化してファイル蓄積メモリ１５８に蓄積したり、複写出力及びファクシミリ受信出力の際にファイル蓄積メモリ１５８に蓄積された符号化された画像データを復号化して画像メモリ１５４に展開するものである。また、この展開時に、副走査ライン数カウント部１５４ａにより復号化された画像データの副走査ライン数がカウントされる。さらに、縮小部１５４ｂにより、復号化された画像データが必要に応じて間引き処理により縮小される。画像メモリ１５４は、スキャナ部４から送られる画像データの格納、及び画像データ出力時に展開された画像データが格納されるものである。
【００４２】
回線用符号化／複合化部１５６には、副走査ライン数カウント部１５６ａ、及び縮小部１５６ｂが設けられている。この回線用符号化／復号化部１５６は、ファクシミリ送受信出力の際に画像データをファクシミリ用に符号化したり、ファクシミリ用に符号化された画像データを復号化したりする。また、受信時に、副走査ライン数カウント部１５６ａにより画像データの副走査ライン数がカウントされる。さらに、縮小部１５６ｂにより、画像データに対して必要に応じて定型縮小処理がなされる。
【００４３】
ファイル蓄積メモリ１５８ｈ、送受信画像データの蓄積用である。画像処理部９６は、画像データ出力時における、画像データ切り捨て処理、及び副走査方向及び主走査方向に対する縮小処理等を行う。なお、これら各処理の詳細については後に説明するものとする。
【００４４】
スキャナ部４は、スキャナ部４の全体を制御するスキャナＣＰＵ１００、制御プログラム等が記憶されているＲＯＭ１０１、データ記憶用のＲＡＭ１０２、ＣＣＤセンサ３４を駆動するＣＣＤドライバ１０３、露光ランプ２５およびミラー２６、２７、２８等を移動するモータの回転を制御するスキャンモータドライバ１０４、ＣＣＤセンサ３４からのアナログ信号をディジタル信号に変換するＡ／Ｄ変換回路とＣＣＤセンサ３４のばらつきあるいは周囲の温度変化などに起因するＣＣＤセンサ３４からの出力信号に対するスレッショルドレベルの変動を補正するためのシェーディング補正回路とシェーディング補正回路からのシェーディング補正されたディジタル信号を一旦記憶するラインメモリからなる画像補正部１０５によって構成されている。
【００４５】
プリンタ部６は、プリンタ部６の全体を制御するプリンタＣＰＵ１１０、制御プログラム等が記憶されているＲＯＭ１１１、データ記憶用のＲＡＭ１１２、半導体レーザ４１による発光をオン／オフするレーザドライバ１１３、レーザユニット４０のポリゴンモータ３７の回転を制御するポリゴンモータドライバ１１４、用紙サイズの選択（上段カセット５２、中段カセット５３、下段カセット５４の選択）及び搬送路５８による用紙Ｐの搬送を制御する用紙選択搬送部１１５、帯電チャージャ４５、現像器４６、転写チャージャ４８を用いて帯電、現像、転写を行う現像プロセス部１１６、定着器６０を制御する定着制御部１１７、およびオプション部１１８によって構成されている。
【００４６】
なお、通信部９９、入出力用符号化／復号化部１５２、画像メモリ１５４、回線用符号化／復号化部１５６、ファイル蓄積メモリ１５８、画像処理部９６、画像補正部１０５、及びレーザドライバ１１３は１２０によって接続されている。
【００４７】
次に、図３〜図５に示すフローチャートを参照して、この発明のポイントであるファクシミリデータ受信格納出力処理について説明する。
ここで、ファクシミリにより送信される画像データについて簡単に説明する。ファクシミリにより送信される画像データには、この画像データの主走査方向のサイズデータが含まれており、この画像データを受信した受信機側（複合機側）ではこの画像データを出力する際に、この画像データに含まれている主走査方向のサイズデータを基にして、この画像データを出力する用紙サイズを決定する。ここで、問題となるのは、受信された画像データの主走査方向のサイズデータだけで、この画像データを出力する用紙サイズが決定されることである。つまり、この画像データの主走査方向のサイズが決定された用紙に納まるとしても、この画像データの副走査方向のサイズが決定された用紙に納まるとは限らない。そこで、図３〜図５のフローチャートに示すファクシミリデータ受信格納出力処理が行われる。
【００４８】
まず、図３のフローチャートを参照して、ファクシミリデータ受信格納処理について説明する。
ファクシミリデータの受信処理が開始されると、メインＣＰＵ９１により使用可能な用紙の中から最大サイズの用紙が決定される（ＳＴ１０）。ここで、仮に複合機に、Ａ３、Ｂ４、Ａ４サイズの用紙が収納されているとすると、決定される最大サイズの用紙はＡ３サイズの用紙ということになる。Ａ３サイズが用紙切れしているときには、決定される最大サイズの用紙はＢ４サイズの用紙ということになる。つまり、決定される最大サイズの用紙は、複合機に存在する用紙サイズにより異なる。
【００４９】
このように決定された最大サイズの用紙に記録可能な有効記録ライン数の上限値を基にして、単一頁として格納可能な最大画像ライン数が設定される（ＳＴ１２）。この設定はメインＣＰＵ９１により行われる。設定される最大画像ライン数は、（最大サイズの用紙の副走査有効ライン数）／（固定縮小処理の最小倍率）により算出される。この実施形態では、原稿（長尺原稿）を副走査方向にのみ縮小して単一頁内に収める処理を固定縮小処理と定義する。仮に、この固定縮小処理の最小倍率が９０％であるとすると、最大画像ライン数＝（最大サイズの用紙の有効記録ライン数）／０．９ということになる。つまり、この最大画像ライン数に対して最小倍率の固定縮小処理かけたものが、最大サイズの用紙に出力可能なサイズの上限ということになる。
【００５０】
次に、回線用符号化／復号化部１５６が起動され、副走査ライン数カウント部１５６ａにより受信画像データの単一頁の副走査ライン数（副走査方向の画像ライン数）がカウントされる（ＳＴ１４）。このとき、副走査ライン数カウント部１５６ａによるカウントアップが監視される（ＳＴ１６）。副走査ライン数カウント部１５６ａによるカウントアップにより（ＳＴ１６、ＹＥＳ）、受信画像データの副走査ライン数の単一頁のカウント値とＳＴ１２で設定された最大画像ライン数とが比較される（ＳＴ１８）。
【００５１】
カウント値が最大画像ライン数以下の場合（カウント値≦最大画像ライン数）には（ＳＴ１８、ＹＥＳ）、回線用符号化／復号化部１５６の復号化頁終了ステータスが確認される（ＳＴ２０）。これにより、ページ終了であることが判明すると（ＳＴ２０、ＹＥＳ）、ファイル蓄積メモリ１５８へこの受信画像データの単一頁がそのまま単一頁として格納される（ＳＴ２２）。また、このとき、ファイル蓄積メモリ１５８へ格納される単一頁としての受信画像データには、付加情報として副走査ライン数のデータが付加される。つまり、受信画像データの単一頁の副走査ライン数が最大画像ライン数以下の場合には、受信画像データの単一頁がそのまま単一頁として格納されることになる。
【００５２】
カウント値が最大画像ラインより大きくなると（ＳＴ１８、ＮＯ）、強制分割処理がなされる。この場合、回線用符号化／復号化部１５６による復号化処理が一旦停止され、同時にファイル蓄積メモリ１５８へ格納するために並行動作している符号化処理が頁終了される（ＳＴ２４）。つまり、受信画像データの単一頁の副走査ライン数が最大画像ライン数より多い場合には、受信画像データの単一頁を最大画像ライン数単位で分割し、この分割された受信画像データ夫々が単一頁としてファイル蓄積メモリ１５８へ格納される（ＳＴ２６）。このＳＴ２６の分割処理のイメージを図６に示す。また、このとき、ファイル蓄積メモリ１５８へ単一頁として格納された受信画像データには、付加情報としてこの受信画像データの副走査ライン数のデータが付加される。
【００５３】
上記説明した強制分割処理が完了すると、一旦停止されていた回線用符号化／復号化部１５６の復号化処理の再開、及び符号化処理の開始（次頁としての開始）が行われる（ＳＴ２８）。
【００５４】
続いて、図４及び図５に示すフローチャートを参照して、ファクシミリデータ出力処理について説明する。
画像データの出力が開始されると、まず、ファイル蓄積メモリ１５８に単一頁として格納されている格納画像データ、つまり図３のフローチャートＳＴ２２又はＳＴ２６で格納された格納画像データに含まれる主走査方向のサイズデータを基にして、この画像データを出力する用紙サイズが設定される（ＳＴ３０）。勿論、複合機に用意されている用紙サイズの中から設定されることになる。
【００５５】
なお、このＳＴ３０においては、あくまで主走査方向のサイズデータを基にした用紙サイズの設定であり、格納画像データにより形成される画像全体がこの設定された設定用紙に出力できるとは限らない（副走査方向が十分に出力できないことがある）。そこで、ＳＴ３２以降の処理において、この格納画像データに付加されている副走査ライン数のデータを基にして、この格納画像データに対して各種処理を施し、又は用紙サイズを変更してこの格納画像データにより形成される画像全体が出力される。
【００５６】
ＳＴ３０において用紙サイズが設定されると、格納画像データに付加されている副走査ライン数のデータが確認される（ＳＴ３２）。格納画像データに付加されている副走査ライン数のデータから、格納画像データの副走査ライン数が、ＳＴ３０で設定された設定用紙の有効記録ライン数以下であることが判明した場合（副走査ライン数≦設定用紙の有効記録ライン数）には（ＳＴ３４、ＹＥＳ）、格納画像データが設定用紙にそのまま１００％出力される（ＳＴ３６）。なお、通常の等倍複写もこの処理に該当する。
【００５７】
格納画像データの副走査ライン数が、設定用紙の有効記録ライン数より多く予め設定された切り捨てライン数以下であることが判明した場合（設定用紙の有効記録ライン数＜副走査ライン数≦切り捨てライン数）には（ＳＴ３８、ＹＥＳ）、切り捨て等倍出力処理が実行される（ＳＴ４０）。このときの出力先は、ＳＴ３０で設定された設定用紙である。
【００５８】
ここで、切り捨て等倍処理について説明する。切り捨て等倍処理とは、格納画像データの副走査ライン数が、設定用紙の有効記録ライン数より多く予め設定された切り捨てライン数以下の場合に実行されるものであり、格納画像データから設定用紙の有効記録ライン数を越えた超過分の副走査ライン数を切り捨てて、この切り捨て処理がなされた画像データを設定用紙に等倍出力する処理である。画像データには、頁の後端部分に余白等の不要情報が存在することが多いという特徴があり、この特徴を生かして、この不要情報である後端部分を切り捨てて等倍出力する。この処理を利用することにより、格納画像データの副走査ライン数がわずかに設定用紙の有効記録ライン数を越える場合には、縮小処理等により画像を劣化させることなく、設定用紙に等倍出力することが可能となる。この切り捨て等倍処理のイメージを図７に示す。
【００５９】
格納画像データの副走査ライン数が、予め設定された切り捨てライン数より多く予め設定された縮小ライン数以下であることが判明した場合（切り捨てライン数＜副走査ライン数≦縮小ライン数）には（ＳＴ４２、ＹＥＳ）、固定縮小記録がなされる（ＳＴ４４）。このときの記録先は、ＳＴ３０で設定された設定用紙である。
【００６０】
ここで、固定縮小記録について説明する。固定縮小記録は、前記した固定縮小処理（副走査方向のみの縮小処理）により縮小された画像データを記録する処理のことである。つまり、画像データに固定縮小率、例えば９５％、９０％の縮小率をかけて縮小処理された画像データが出力される。この固定縮小処理は、入出力用符号化／復号化部１５２における縮小部１５２ｂにより行われる。この固定縮小記録のイメージを図８に示す。なお、縮小率９５％、９０％の選択は、ＳＴ４２で使用される縮小ライン数に、９５％用の縮小ライン数と９０％用の縮小ライン数とを持たせることにより実現できる（９５％用の縮小ライン数＜９０％用のの縮小ライン数）。
【００６１】
格納画像データの副走査ライン数が、予め設定された縮小ライン数より多いことが判明した場合には（ＳＴ４２、ＮＯ）、出力先を設定用紙より大きいサイズの用紙へ変更可能か否かの判断がなされる（ＳＴ４６）。つまり、固定縮小処理を実施しても、ＳＴ３０で設定された設定用紙に格納画像データにより形成される画像全体を出力できない場合には、この設定用紙より大きいサイズの用紙へ出力しようというものである。ＳＴ４６における判断は、予め設定された条件を基になされる。予め設定された条件とは、予めＳＴ３０で設定される設定用紙のサイズより大きいサイズの用紙へ変更することを許可する設定である。この設定はユーザにより任意に変更することができるものとする。
【００６２】
格納画像データの副走査ライン数が予め設定された縮小ライン数より多いことが判明し（ＳＴ４２、ＮＯ）、ＳＴ３０で設定された設定用紙より大きいサイズの用紙へ変更が可能な場合（ＳＴ４６、ＹＥＳ）、格納画像データの副走査ライン数に応じて、サイズ変更された用紙に対する出力処理が実行される（ＳＴ４８）。
【００６３】
ここで、図５のフローチャートを参照して、ＳＴ４８におけるサイズ変更された用紙に対する出力について説明する。格納画像データの副走査ライン数が縮小ライン数より多く、Ｂ４サイズの用紙の画像ライン数以下の場合（縮小ライン数＜副走査ライン数≦Ｂ４の画像ライン数）には（ＳＴ７０、ＹＥＳ）、この格納画像データは、Ｂ４サイズの用紙に対して等倍出力される（ＳＴ７２）。
【００６４】
格納画像データの副走査ライン数がＢ４サイズの用紙の画像ライン数より多く、Ｂ４サイズの用紙の画像ライン数×１．１以下の場合（Ｂ４の画像ライン数＜副走査ライン数≦Ｂ４の画像ライン数×１．１）には（ＳＴ７４、ＹＥＳ）、この格納画像データは、Ｂ４サイズの用紙に対して固定縮小記録される（ＳＴ７６）。
【００６５】
格納画像データの副走査ライン数がＢ４サイズの用紙の画像ライン数×１．１より多く、Ａ３サイズの用紙の画像ライン数以下の場合（Ｂ４の画像ライン数×１．１＜副走査ライン数≦Ａ３の画像ライン数）には（ＳＴ７８、ＹＥＳ）、この格納画像データは、Ａ３サイズの用紙に対して等倍出力される（ＳＴ８０）。
【００６６】
格納画像データの副走査ライン数がＡ３サイズの用紙の画像ライン数より多く、Ａ３サイズの用紙の画像ライン数×１．１以下の場合（Ａ３の画像ライン数＜副走査ライン数≦Ａ３の画像ライン数×１．１）には（ＳＴ８２、ＹＥＳ）、この格納画像データは、Ａ３サイズの用紙に対して固定縮小記録される（ＳＴ８４）。
【００６７】
再び、図４のフローチャートに戻り説明する。格納画像データの副走査ライン数が、予め設定された縮小ライン数より多いことが判明し（ＳＴ４２、ＮＯ）、出力先をＳＴ３０で設定された設定用紙サイズより大きいサイズの用紙へ変更できない場合（ＳＴ４６、ＮＯ）、定型縮小記録が可能か否かの判断がなされる（ＳＴ５０）。つまり、固定縮小処理を実施しても、ＳＴ３０で設定された設定用紙に格納画像データが単一頁として出力できない場合であって、出力先を設定用紙より大きいサイズの用紙に変更できないときには（ＳＴ４６、ＮＯ）、定型縮小記録により格納画像データの単一頁を単一頁として出力しようというものである。
【００６８】
ここで言う定型縮小記録とは、画像データに対して主走査方向及び副走査方向に縮小率をかけることによりこの画像データを相似縮小して、この相似縮小された画像データをＳＴ３０で設定された設定用紙より大きいサイズの用紙に出力するものである。ＳＴ６４における判断は、予め設定された条件に従ってなされる。つまり、予め定型縮小記録を許可する設定がなされているときに定型縮小記録が可能であり、それ以外の場合には格納画像データは出力不可とされる（ＳＴ５２）。
【００６９】
定型縮小記録を許可する設定がなされているときには（ＳＴ５０、ＹＥＳ）、格納画像データの副走査ライン数に応じた定型縮小記録が実行される（ＳＴ５４〜ＳＴ６２）。格納画像データの副走査ライン数がＢ４の画像ライン数×１．１以下の場合（縮小ライン数＜副走査ライン数≦Ｂ４の画像ライン数×１．１）には（ＳＴ５４、ＹＥＳ）、格納画像データに対してＢ４→Ａ４縮小処理がなされ、この格納画像データがＡ４サイズの用紙に出力される（ＳＴ５６）。
【００７０】
格納画像データの副走査ライン数がＢ４の画像ライン数×１．１より多い場合には（ＳＴ５４、ＮＯ）、まず、Ｂ４サイズの用紙の有無が確認される（ＳＴ５８）。Ｂ４サイズの用紙が切れている場合には（ＳＴ５８、ＮＯ）、格納画像データに対してＡ３→Ａ４縮小処理がなされ、この格納画像データがＡ４サイズの用紙に出力される（ＳＴ６０）。Ｂ４サイズの用紙が存在する場合には（ＳＴ５８、ＹＥＳ）、格納画像データに対してＡ３→Ｂ４縮小処理がなされ、この格納画像データがＢ４サイズの用紙に出力される（ＳＴ６２）。このＳＴ５６、ＳＴ６０、ＳＴ６２の縮小処理のイメージを図９に示す。なお、Ｂ４→Ａ４は８１％の縮小処理、Ａ３→Ｂ４は８６％の縮小処理、Ａ３→Ａ４は７０％の縮小処理であるものとする。
【００７１】
以上の処理において、ファイル蓄積メモリ１５８内に格納された格納画像データは、入出力用符号化／復号化部１５２により複合化され、必要に応じて縮小部１５２ｂにより用紙サイズに納まるように処理され、画像メモリ１５４に展開される。その後、プリンタ部６によりこの画像メモリ１５４に展開された画像データが出力される。つまり、この発明によれば、画像メモリ１５４は、最大サイズの用紙（この実施形態の場合にはＡ３サイズの用紙）における有効記録ライン数分の容量を持てばよいことになる。
【００７２】
また、上記説明したように、画像データ受信時に必要に応じてこの画像データに強制分割処理が行われるので、出力時には画像メモリに展開された画像データを出力するだけでよい。これにより、ファクシミリ機能による画像出力処理と、複写機能による画像出力処理とを共通化することが可能となる。
【００７３】
【発明の効果】
この発明によれば下記の効果を奏する画像データ受信格納出力方法及び画像形成装置が提供できる。
（１）画像データ受信時に、強制分割処理、切り捨て処理、各種縮小処理に必要とされる画像データの副走査ライン数がカウントされ、必要に応じてこの画像データに強制分割処理が行われ、さらに画像データ出力時には必要に応じて切り捨て処理及び各種縮小処理が施された画像データが画像メモリに展開されるので、この画像メモリに展開された画像データをそのまま出力するだけで画像形成処理を完了することができる。これにより、ファクシミリ機能及び複写機能を備えた複合機の出力処理を簡略化（共通化）することができる。
【００７４】
（２）画像データ受信時に、強制分割処理、切り捨て処理、各種縮小処理に必要とされる画像データの副走査ライン数がカウントされ、必要に応じてこの画像データに強制分割処理が行われ、さらに画像データ出力時には必要に応じて切り捨て処理及び各種縮小処理が施された画像データが画像メモリに展開されるので、この画像メモリの容量を、出力先となる用紙の中で最大サイズの用紙の有効記録ライン数に相当する容量とすることができる。
【図面の簡単な説明】
【図１】この発明の一実施の形態に係る画像形成装置（複合機）の概略構成を示す断面図。
【図２】画像形成装置（複合機）の電気的接続及び制御のための信号の流れを説明するブロック図。
【図３】ファクシミリデータ受信格納処理を示すフローチャート図。
【図４】画像データ出力処理を示すフローチャート図。
【図５】画像データ出力処理を示すフローチャート図。
【図６】強制分割処理のイメージ図。
【図７】切り捨て等倍出力のイメージ図。
【図８】固定縮小処理のイメージ図。
【図９】定型縮小処理のイメージ図。
【符号の説明】
４…スキャナ部
６…プリンタ部
８０…操作パネル部
９０…主制御部
９１…メインＣＰＵ
９６…画像処理部
９９…通信部
９９ａ…通信制御部
９９ｂ…モデム
９９ｃ…ＮＣＵ
１５２…入出力用符号化／復号化部
１５２ａ…副走査ライン数カウント部
１５２ｂ…縮小部
１５４…画像メモリ
１５６…回線用符号化／復号化部
１５６ａ…副走査ライン数カウント部
１５６ｂ…縮小部
１５８…ファイル蓄積メモリ
【図１】
0003748135.tif 000002
【図２】
0003748135.tif 000003
【図３】
0003748135.tif 000004
【図４】
0003748135.tif 000005
【図５】
0003748135.tif 000006
【図６】
0003748135.tif 000007
【図７】
0003748135.tif 000008
【図８】
0003748135.tif 000009
【図９】
0003748135.tif 000010